(57)【要約】  電池システム（３０）は、電池パック（１０）及び保持体（２０）を備えている。電池パック（１０）は、第１コネクタ（２００）を有している。保持体（２０）は、ベース（３１０）及び第２コネクタ（４００）を有している。第２コネクタ（４００）は、ベース（３１０）に接続されている。電池パック（１０）は、電池パック（１０）の第１コネクタ（２００）が保持体（２０）の第２コネクタ（４００）に接続するように保持体（２０）に取り付け可能となっている。第２コネクタ（４００）は、ベース（３１０）に対して可動になっている。
2019130880.tif 000002
【特許請求の範囲】
【請求項１】
第１コネクタを有する電池パックと、
ベースと、前記ベースに接続された第２コネクタと、を有する保持体と、
を備え、
前記電池パックは、前記電池パックの前記第１コネクタが前記保持体の前記第２コネクタに接続するように前記保持体に取り付け可能であり、
前記第２コネクタは、前記ベースに対して可動になっている電池システム。
【請求項２】
請求項１に記載の電池システムにおいて、
前記第２コネクタは、基板と、前記基板上に搭載された端子台と、を有し、
前記基板は、前記ベースに対して可動になっている電池システム。
【請求項３】
請求項２に記載の電池システムにおいて、
前記基板には、穴が形成されており、
前記ベースは、前記穴を一方向に沿って通過する軸部材を有し、
前記基板は、前記一方向及び前記一方向に交わる方向のうちの少なくとも一方に沿って前記軸部材に対して可動になっている電池システム。
【請求項４】
第１コネクタを有する電池パックを保持するための保持体であって、
ベースと、
前記ベースに接続された第２コネクタと、
を備え、
前記電池パックは、前記電池パックの前記第１コネクタが前記保持体の前記第２コネクタに接続するように前記保持体に取り付け可能であり、
前記第２コネクタは、前記ベースに対して可動になっている保持体。
【発明の詳細な説明】
【技術分野】
【０００１】
本発明は、電池システム及び保持体に関する。
【背景技術】
【０００２】
近年、非水電解液二次電池、特に、リチウムイオン二次電池が開発されている。一部のリチウムイオン二次電池では、電池パックが用いられることがある。例えば非特許文献１に記載されているように、電池パックは、一又は複数の電池セル及び電池セルを収容するためのケースを有している。さらに、一部のリチウムイオン二次電池では、電池パックを保持体に保持させることがある。
【先行技術文献】
【特許文献】
【０００３】
【特許文献１】特開２００８−４１３７６号公報
【発明の概要】
【発明が解決しようとする課題】
【０００４】
電池パックを保持体に保持させる場合に電池パックの端子と保持体の端子を互いに接続させることがある。【０００５】
本発明の一の目的は、電池パックの端子と保持体の端子の接合を容易にすることにある。本発明のさらなる目的は、実施形態の以下の開示から明らかになるであろう。
【課題を解決するための手段】
【０００６】
本発明の一態様によれば、電池システムが提供される。電池システムは、
第１コネクタを有する電池パックと、
ベースと、前記ベースに接続された第２コネクタと、を有する保持体と、
を備え、
前記電池パックは、前記電池パックの前記第１コネクタが前記保持体の前記第２コネクタに接続するように前記保持体に取り付け可能であり、
前記第２コネクタは、前記ベースに対して可動になっている。【０００７】
本発明の他の態様によれば、第１コネクタを有する電池パックを保持するための保持体が提供される。保持体は、
ベースと、
前記ベースに接続された第２コネクタと、
を備え、
前記電池パックは、前記電池パックの前記第１コネクタが前記保持体の前記第２コネクタに接続するように前記保持体に取り付け可能であり、
前記第２コネクタは、前記ベースに対して可動になっている。
【発明の効果】
【０００８】
本発明の上述した一態様によれば、電池パックの端子と保持体の端子の接合が容易になる。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】実施形態に係る電池パックを示す斜視図である。
【図２】図１に示した電池パックを図１の反対側から見た斜視図である。
【図３】図１及び図２に示した電池パックのケースに収容された電池モジュールを示す斜視図である。
【図４】実施形態に係る保持体を示す斜視図である。
【図５】実施形態に係る電池システムを示す斜視図である。
【図６】図５に示した電池システムの第１コネクタ及び第２コネクタの詳細を説明するための図である。
【図７】図４に示した第２コネクタを示す斜視図である。
【図８】図７に示した第２コネクタを図７の反対側から見た斜視図である。
【図９】図４に示した第１ベースの底面図である。
【図１０】図９のＡ−Ａ´断面図である。
【図１１】図９のＢ−Ｂ´断面図である。
【図１２】図１０及び図１１に示した複数の軸部材のうちの一の軸部材及びその周辺を拡大した図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る電池パック１０を示す斜視図である。図２は、図１に示した電池パック１０を図１の反対側から見た斜視図である。図３は、図１及び図２に示した電池パック１０のケース１１０に収容された電池モジュール１２を示す斜視図である。図４は、実施形態に係る保持体２０を示す斜視図である。図５は、実施形態に係る電池システム３０を示す斜視図である。図６は、図５に示した電池システム３０の第１コネクタ２００及び第２コネクタ４００の詳細を説明するための図である。
【００１３】
図６を用いて、電池システム３０の概要を説明する。電池システム３０は、電池パック１０及び保持体２０を備えている。電池パック１０は、第１コネクタ２００を有している。保持体２０は、ベース３１０及び第２コネクタ４００を有している。第２コネクタ４００は、ベース３１０に接続されている。電池パック１０は、電池パック１０の第１コネクタ２００が保持体２０の第２コネクタ４００に接続するように保持体２０に取り付け可能となっている。第２コネクタ４００は、ベース３１０に対して可動になっている。
【００１４】
上述した構成によれば、電池パック１０の第１コネクタ２００と保持体２０の第２コネクタ４００の接合が容易になる。具体的には、上述した構成においては、第２コネクタ４００は、ベース３１０に対して可動になっている。したがって、電池パック１０を保持体２０に取り付ける場合に第１コネクタ２００の位置と第２コネクタ４００の位置がずれていても、第２コネクタ４００は、第１コネクタ２００に追従して動くことができる。したがって、電池パック１０の第１コネクタ２００と保持体２０の第２コネクタ４００の接合が容易になる。
【００１５】
図１及び図２を用いて、電池パック１０の詳細を説明する。
【００１６】
電池パック１０は、ケース１１０、複数の第１スライド部１２２、複数の第２スライド部１２４、第１接合部１３０及び第１コネクタ２００を有している。
【００１７】
ケース１１０は、複数の面、すなわち、底面１１０ａ、上面１１０ｂ、第１側面１１０ｃ１、第２側面１１０ｃ２、第３側面１１０ｃ３及び第４側面１１０ｃ４を有している。上面１１０ｂは、底面１１０ａの反対側にある。第１側面１１０ｃ１、第２側面１１０ｃ２、第３側面１１０ｃ３及び第４側面１１０ｃ４は、底面１１０ａと上面１１０ｂの間にある。第２側面１１０ｃ２は、第１側面１１０ｃ１の反対側にある。第３側面１１０ｃ３は、第１側面１１０ｃ１と第２側面１１０ｃ２の間にある。第４側面１１０ｃ４は、第３側面１１０ｃ３の反対側にある。
【００１８】
ケース１１０は、底面１１０ａと上面１１０ｂの間に高さ方向を有しており、第１側面１１０ｃ１と第２側面１１０ｃ２の間に長さ方向を有しており、第３側面１１０ｃ３と第４側面１１０ｃ４の間に幅方向を有している。図１及び図２に示す例では、ケース１１０の長さ方向の長さ（第１側面１１０ｃ１と第２側面１１０ｃ２の間の長さ）は、ケース１１０の幅方向の長さ（第３側面１１０ｃ３と第４側面１１０ｃ４の間の長さ）より長くなっている。
【００１９】
ケース１１０は、図３を用いて後述する電池モジュール１２を収容している。図１及び図２に示す例では、ケース１１０は、第１ケース部材１１２及び第２ケース部材１１４を有している。第１ケース部材１１２及び第２ケース部材１１４は、電池モジュール１２（図３）を収容するための空間を画定するように互いに接合している。第１ケース部材１１２は、ケース１１０の底面１１０ａを構成し、ケース１１０の第１側面１１０ｃ１、第２側面１１０ｃ２、第３側面１１０ｃ３及び第４側面１１０ｃ４のそれぞれの一部を構成し、電池モジュール１２（図３）の下方を覆っている。第２ケース部材１１４は、ケース１１０の上面１１０ｂを構成し、ケース１１０の第１側面１１０ｃ１、第２側面１１０ｃ２、第３側面１１０ｃ３及び第４側面１１０ｃ４のそれぞれの一部を構成し、電池モジュール１２（図３）の上方を覆っている。
【００２０】
複数の第１スライド部１２２及び複数の第２スライド部１２４は、ケース１１０の底面１１０ａ側（第１ケース部材１１２）に配置されており、上面１１０ｂよりも底面１１０ａの近くに配置されている。
【００２１】
複数の第１スライド部１２２及び複数の第２スライド部１２４は、ケース１１０の長さ方向に沿って並んでいる。複数の第１スライド部１２２の方が複数の第２スライド部１２４よりも第１側面１１０ｃ１の近くに配置されており、複数の第１スライド部１２２は、第２側面１１０ｃ２よりも第１側面１１０ｃ１の近くに配置されている。複数の第２スライド部１２４の方が複数の第１スライド部１２２よりも第２側面１１０ｃ２の近くに配置されており、複数の第２スライド部１２４は、第１側面１１０ｃ１よりも第２側面１１０ｃ２の近くに配置されている。
【００２２】
複数の第１スライド部１２２は、第１スライド部１２２ａ及び第１スライド部１２２ｂを含んでいる。第１スライド部１２２ａ及び第１スライド部１２２ｂは、ケース１１０の幅方向に並んでいる。第１スライド部１２２ａは、ケース１１０の第３側面１１０ｃ３側に配置されており、第１スライド部１２２ｂは、ケース１１０の第４側面１１０ｃ４側に配置されている。図１及び図２に示す例において、第１スライド部１２２ａは、第３側面１１０ｃ３上に形成された凹部であり、第１スライド部１２２ｂは、第４側面１１０ｃ４上に形成された凹部である。
【００２３】
複数の第２スライド部１２４は、第２スライド部１２４ａ及び第２スライド部１２４ｂを含んでいる。第２スライド部１２４ａ及び第２スライド部１２４ｂは、ケース１１０の幅方向に並んでいる。第２スライド部１２４ａは、ケース１１０の第３側面１１０ｃ３側に配置されており、第２スライド部１２４ｂは、ケース１１０の第４側面１１０ｃ４側に配置されている。図１及び図２に示す例において、第２スライド部１２４ａは、第３側面１１０ｃ３上に形成された凹部であり、第２スライド部１２４ｂは、第４側面１１０ｃ４上に形成された凹部である。
【００２４】
第１接合部１３０は、ケース１１０の第２側面１１０ｃ２側に配置されている。第１接合部１３０は、ケース１１０の高さ方向に沿ってスライド可能になっている。
【００２５】
第１コネクタ２００は、ケース１１０の第１側面１１０ｃ１側に配置されている。第１コネクタ２００は、ケース１１０の底面１１０ａ側（第１ケース部材１１２）に配置されており、上面１１０ｂよりも底面１１０ａの近くに配置されている。
【００２６】
第１コネクタ２００は、第１端子２２２ａ、第２端子２２２ｂ、第３端子２２２ｃ、第１アジャスタ２２４ａ及び第２アジャスタ２２４ｂを有している。第１端子２２２ａ、第２端子２２２ｂ、第３端子２２２ｃ、第１アジャスタ２２４ａ及び第２アジャスタ２２４ｂは、ケース１１０から露出している。
【００２７】
第１端子２２２ａは、電源端子及び接地端子のうちの一方であり、第２端子２２２ｂは、電源端子及び接地端子のうちのもう一方であり、第３端子２２２ｃは、センス端子である。図１及び図２に示す例では、第１端子２２２ａと第２端子２２２ｂは、第３端子２２２ｃを挟んで互いに離間している。したがって、第１端子２２２ａと第２端子２２２ｂの間の絶縁耐圧を確保することができる。
【００２８】
第１アジャスタ２２４ａと第２アジャスタ２２４ｂは、第１端子２２２ａ、第２端子２２２ｂ及び第３端子２２２ｃを挟んで互いに離間している。第１アジャスタ２２４ａは、第１端子２２２ａの隣に位置している。第２アジャスタ２２４ｂは、第２端子２２２ｂの隣に位置している。
【００２９】
図３を用いて、電池モジュール１２の詳細を説明する。
【００３０】
電池モジュール１２は、複数の電池セル１００、回路基板１４０、ホルダ１４２、配線１４４及び第１コネクタ２００を有している。
【００３１】
複数の電池セル１００は、ホルダ１４２を介して回路基板１４０上に搭載されている。各電池セル１００は、配線１４４を介して回路基板１４０に電気的に接続されている。図３に示す例において、回路基板１４０は、Ｂａｔｔｅｒｙ  Ｍａｎａｇｅｍｅｎｔ  Ｕｎｉｔ（ＢＭＵ）である。
【００３２】
第１コネクタ２００は、回路基板１４０に取り付けられている。第１コネクタ２００は、回路基板１４０及び配線１４４を介して各電池セル１００に電気的に接続している。したがって、各電池セル１００によって発生する電力は、配線１４４及び回路基板１４０を介して第１コネクタ２００に供給されることができる。
【００３３】
図４を用いて、保持体２０の詳細を説明する。
【００３４】
保持体２０は、ベース３１０、複数の第１案内路３２２、複数の第２案内路３２４、第２接合部３３０及び第２コネクタ４００を有している。
【００３５】
ベース３１０は、第１ベース３１２及び第２ベース３１４を含んでいる。第２コネクタ４００は、第１ベース３１２に接続されている。第１ベース３１２及び第２ベース３１４は、互いに離間されている。
【００３６】
上述した構成によれば、ベース３１０のコストを抑えることができる。具体的には、上述した構成においては、第１ベース３１２と第２ベース３１４を互いに接続するための部材を設ける必要がない。したがって、当該部材がない分だけベース３１０のコストを抑えることができる。
【００３７】
上述した構成によれば、ベース３１０を軽量化することができる。具体的には、上述した構成においては、第１ベース３１２と第２ベース３１４を互いに接続するための部材を設ける必要がない。したがって、当該部材がない分だけベース３１０を軽量化することができる。ベース３１０の軽量化は、ベース３１０が取り付けられる対象物（例えば、ドローン）に軽さが要求される場合に特に好適である。
【００３８】
上述した構成によれば、保持体２０が保持可能な電池パック１０（図１及び図２）の大きさの自由度を高くすることができる。具体的には、上述した構成においては、電池パック１０（図１及び図２）の大きさに応じて第１ベース３１２と第２ベース３１４の間の距離を調節することができる。したがって、第１ベース３１２と第２ベース３１４の間の距離の調節によって、保持体２０が保持可能な電池パック１０（図１及び図２）の大きさの自由度を高くすることができる。
【００３９】
第１ベース３１２は、面３１２ａ、面３１２ｂ及び面３１２ｃを有している。面３１２ａと面３１２ｂは、互いに対向している。面３１２ｃは、面３１２ａと面３１２ｂの間にあって、第２ベース３１４の方を向いている。
【００４０】
第２ベース３１４は、面３１４ａ、面３１４ｂ及び面３１４ｃを有している。面３１４ａと面３１４ｂは、互いに対向している。第２ベース３１４の面３１４ａ及び面３１４ｂは、一方向に沿って、第１ベース３１２の面３１２ａ及び面３１２ｂとそれぞれ並んでいる。面３１４ｃは、面３１４ａと面３１４ｂの間にあって、上方を向いている。
【００４１】
第２コネクタ４００は、第１ベース３１２の面３１２ｃ側に配置されている。第２コネクタ４００は、第１端子４２２ａ、第２端子４２２ｂ、第３端子４２２ｃ、第１案内部４２４ａ及び第２案内部４２４ｂを有している。第１端子４２２ａ、第２端子４２２ｂ、第３端子４２２ｃ、第１案内部４２４ａ及び第２案内部４２４ｂは、第１ベース３１２から露出している。
【００４２】
複数の第１案内路３２２は、第１ベース３１２に設けられている。複数の第１案内路３２２は、第１案内路３２２ａ及び第１案内路３２２ｂを含んでいる。第１案内路３２２ａは、第１ベース３１２の面３１２ａ上に設けられている。第１案内路３２２ｂは、第１ベース３１２の面３１２ｂ上に設けられている。図４に示す例において、第１案内路３２２ａは、面３１２ａ上に形成された凸部であり、第１案内路３２２ｂは、面３１２ｂ上に形成された凸部である。
【００４３】
複数の第２案内路３２４は、第２ベース３１４に設けられている。複数の第２案内路３２４は、第２案内路３２４ａ及び第２案内路３２４ｂを含んでいる。第２案内路３２４ａは、第２ベース３１４の面３１４ａ上に設けられている。第２案内路３２４ｂは、第２ベース３１４の面３１４ｂ上に設けられている。図４に示す例において、第２案内路３２４ａは、面３１４ａ上に形成された凸部であり、第２案内路３２４ｂは、面３１４ｂ上に形成された凸部である。
【００４４】
第２接合部３３０は、第２ベース３１４の面３１４ｃに設けられている。図４に示す例において、第２接合部３３０は、第２ベース３１４の面３１４ｃに形成された開口である。
【００４５】
図５及び図６を用いて、電池システム３０の詳細を説明する。
【００４６】
図５及び図６に示す例では、電池パック１０は、Ｚ方向に沿って保持体２０に搭載されており、Ｘ方向に沿って保持体２０に対して移動可能になっている。
【００４７】
第１ベース３１２及び第２ベース３１４は、一方向（図５及び図６のＸ方向）に並んでいる。第１スライド部１２２ａ、第１スライド部１２２ｂ、第２スライド部１２４ａ及び第２スライド部１２４ｂ（図２）は、電池パック１０が上述した一方向（図５及び図６のＸ方向）に沿って保持体２０に対して移動するように第１案内路３２２ａ、第１案内路３２２ｂ、第２案内路３２４ａ及び第２案内路３２４ｂ（図４）に沿ってそれぞれスライド可能となっている。したがって、ケース１１０の第１側面１１０ｃ１が第２コネクタ４００に対向するように保持体２０に対して電池パック１０を容易に移動させることができる。
【００４８】
本実施形態では、第１スライド部１２２ａ、第１スライド部１２２ｂ、第２スライド部１２４ａ及び第２スライド部１２４ｂのそれぞれは凹部であり、第１案内路３２２ａ、第１案内路３２２ｂ、第２案内路３２４ａ及び第２案内路３２４ｂのそれぞれは、第１スライド部１２２ｂ、第２スライド部１２４ａ及び第２スライド部１２４ｂにそれぞれ適合可能な凸部である。他の例において、第１スライド部１２２ａ、第１スライド部１２２ｂ、第２スライド部１２４ａ及び第２スライド部１２４ｂのそれぞれは凸部であってもよく、第１案内路３２２ａ、第１案内路３２２ｂ、第２案内路３２４ａ及び第２案内路３２４ｂのそれぞれは、第１スライド部１２２ｂ、第２スライド部１２４ａ及び第２スライド部１２４ｂにそれぞれ適合可能な凹部であってもよい。
【００４９】
本実施形態において、第１スライド部１２２ｂ及び第２スライド部１２４ｂは、第１案内路３２２ａ及び第２案内路３２４ａに適合しないようにすることができ、第１スライド部１２２ａ及び第２スライド部１２４ａは、第１案内路３２２ｂ及び第２案内路３２４ｂに適合しないようにすることができる。例えば、図５に示す例では、Ｚ方向において、第１案内路３２２ａの幅と第１案内路３２２ｂの幅を互いに異ならせることができ、第２案内路３２４ａの幅と第２案内路３２４ｂの幅を互いに異ならせることができる。この場合、電池パック１０が誤った方向に保持体２０に取り付けられること、すなわち、ケース１１０の第２側面１１０ｃ２が第２コネクタ４００に対向するように電池パック１０が保持体２０に取り付けられることを防ぐことができる。
【００５０】
電池パック１０の第１端子２２２ａ、第２端子２２２ｂ及び第３端子２２２ｃは、電池パック１０が保持体２０に保持された場合、保持体２０の第１端子４２２ａ、第２端子４２２ｂ及び第３端子４２２ｃにそれぞれ接続される。したがって、保持体２０を対象物（例えば、ドローン又は自動車）に取り付けて、電池パック１０から保持体２０を介して対象物に電力を供給することができる。さらに、保持体２０を充電器に取り付けて、充電器から保持体２０を介して電池パック１０に電力を供給することができる。
【００５１】
電池パック１０の第１アジャスタ２２４ａ及び第２アジャスタ２２４ｂは、電池パック１０の第１端子２２２ａ、第２端子２２２ｂ及び第３端子２２２ｃが保持体２０の第１端子４２２ａ、第２端子４２２ｂ及び第３端子４２２ｃにそれぞれ接続されるように、保持体２０の第１案内部４２４ａ及び第２案内部４２４ｂによってそれぞれ案内される。したがって、電池パック１０の第１端子２２２ａ、第２端子２２２ｂ及び第３端子２２２ｃのそれぞれの位置を、保持体２０の第１端子４２２ａ、第２端子４２２ｂ及び第３端子４２２ｃのそれぞれの位置に合わせることが容易となる。
【００５２】
本実施形態では、第１アジャスタ２２４ａ及び第２アジャスタ２２４ｂのそれぞれは凹部であり、第１案内部４２４ａ及び第２案内部４２４ｂのそれぞれは第１アジャスタ２２４ａ及び第２アジャスタ２２４ｂにそれぞれ適合可能な凸部である。他の例において、第１アジャスタ２２４ａ及び第２アジャスタ２２４ｂのそれぞれは凸部であってもよく、第１案内部４２４ａ及び第２案内部４２４ｂのそれぞれは第１アジャスタ２２４ａ及び第２アジャスタ２２４ｂにそれぞれ適合可能な凹部であってもよい。
【００５３】
第１接合部１３０及び第２接合部３３０は、電池パック１０が保持体２０に対して固定されるように互いに接合可能となっている。第１接合部１３０及び第２接合部３３０を互いに接合させることで、電池パック１０の第１コネクタ２００が保持体２０の第２コネクタ４００から外れないようにすることができる。
【００５４】
本実施形態では、第２接合部３３０は開口であり、第１接合部１３０は第２接合部３３０に適合可能なスライド部材である。他の例において、第１接合部１３０は開口であってもよく、第２接合部３３０は第１接合部１３０に適合可能なスライド部材であってもよい。
【００５５】
電池システム３０は、第１配線３４２及び第２配線３４４を備えている。第１配線３４２及び第２配線３４４は、保持体２０の第１端子４２２ａ及び第２端子４２２ｂにそれぞれ電気的に接続している。したがって、電池システム３０は、第１配線３４２及び第２配線３４４を介して、電池システム３０の外部部材に電気的に接続することができる。
【００５６】
図７は、図４に示した第２コネクタ４００を示す斜視図である。図８は、図７に示した第２コネクタ４００を図７の反対側から見た斜視図である。
【００５７】
第２コネクタ４００は、基板４１０及び端子台４２０を有している。
【００５８】
基板４１０は、第１辺４１０ａ、第２辺４１０ｂ、第３辺４１０ｃ及び第４辺４１０ｄを有している。第２辺４１０ｂは、第１辺４１０ａの反対側にある。第３辺４１０ｃは、第１辺４１０ａと第２辺４１０ｂの間にある。第４辺４１０ｄは、第３辺４１０ｃの反対側にある。図７及び図８に示す例では、基板４１０の形状は、第１辺４１０ａ、第２辺４１０ｂ、第３辺４１０ｃ及び第４辺４１０ｄによって画定される実質的に矩形となっている。
【００５９】
基板４１０は、第１面４１２及び第２面４１４を有している。第２面４１４は、第１面４１２の反対側にある。
【００６０】
端子台４２０は、基板４１０の第１面４１２上に搭載されている。端子台４２０は、第１端子４２２ａ、第２端子４２２ｂ、第３端子４２２ｃ、第１案内部４２４ａ及び第２案内部４２４ｂを有している。第１端子４２２ａ、第２端子４２２ｂ、第３端子４２２ｃ、第１案内部４２４ａ及び第２案内部４２４ｂは、基板４１０の第１辺４１０ａから突出している。
【００６１】
基板４１０には、複数の開口４５０が形成されている。図７及び図８に示す例では、複数の開口４５０は、開口４５０ａ、開口４５０ｂ、開口４５０ｃ及び開口４５０ｄを含んでいる。開口４５０ａ及び開口４５０ｃの組と開口４５０ｂ及び開口４５０ｄの組は、端子台４２０を挟んで互いに反対側にある。開口４５０ａは、第２辺４１０ｂよりも第１辺４１０ａの近くに配置され、かつ第４辺４１０ｄよりも第３辺４１０ｃの近くに配置されている。開口４５０ｂは、第２辺４１０ｂよりも第１辺４１０ａの近くに配置され、かつ第３辺４１０ｃよりも第４辺４１０ｄの近くに配置されている。開口４５０ｃは、第１辺４１０ａよりも第２辺４１０ｂの近くに配置され、かつ第４辺４１０ｄよりも第３辺４１０ｃの近くに配置されている。開口４５０ｄは、第１辺４１０ａよりも第２辺４１０ｂの近くに配置され、かつ第３辺４１０ｃよりも第４辺４１０ｄの近くに配置されている。
【００６２】
本実施形態では、図９から図１２を用いて後述するように、第２コネクタ４００は、ベース３１０（第１ベース３１２）に対して可動にすることができる。
【００６３】
図９は、図４に示した第１ベース３１２の底面図である。図１０は、図９のＡ−Ａ´断面図である。図１１は、図９のＢ−Ｂ´断面図である。図１２は、図１０及び図１１に示した複数の軸部材３５０のうちの一の軸部材３５０及びその周辺を拡大した図である。
【００６４】
図１０及び図１１を用いて、第２コネクタ４００の概要を説明する。図１０及び図１１に示す例において、第２コネクタ４００は、フローティングコネクタである。ベース３１０は、軸部材３５０を有している。軸部材３５０は、基板４１０の開口４５０を一方向（図１０及び図１１のＺ方向）に沿って通過している。基板４１０は、上述した一方向（図１０及び図１１のＺ方向）及び当該一方向に交わる方向（図１０及び図１１のＹ方向）に沿って軸部材３５０に対して可動になっている。したがって、第２コネクタ４００は、ベース３１０に対して二方向（図１０及び図１１のＹ方向及びＺ方向）に沿って可動になっている。
【００６５】
第２コネクタ４００がベース３１０に対して可動な方向は、二方向に限定されるものではなく、三方向（例えば、図５及び図６のＸ方向、Ｙ方向及びＺ方向）であってもよいし、又は一方向（例えば、図１０及び図１１のＹ方向及びＺ方向のいずれ）のみであってもよい。
【００６６】
図９を用いて、ベース３１０及び第２コネクタ４００の詳細を説明する。
【００６７】
第２コネクタ４００の基板４１０は、複数の固定具５５０によってベース３１０（第１ベース３１２）に固定されている。複数の固定具５５０は、固定具５５０ａ、固定具５５０ｂ、固定具５５０ｃ及び固定具５５０ｄを含んでいる。固定具５５０ａ、固定具５５０ｂ、固定具５５０ｃ及び固定具５５０ｄは、そえぞれ、基板４１０の開口４５０ａ、開口４５０ｂ、開口４５０ｃ及び開口４５０ｄ（図７、図８、図１０及び図１１）に取り付けられている。
【００６８】
図１０及び図１１を用いて、ベース３１０及び第２コネクタ４００の詳細を説明する。
【００６９】
ベース３１０は、複数の軸部材３５０を有している。複数の軸部材３５０は、軸部材３５０ａ、軸部材３５０ｂ、軸部材３５０ｃ及び軸部材３５０ｄを含んでいる。軸部材３５０ａ、軸部材３５０ｂ、軸部材３５０ｃ及び軸部材３５０ｄは、基板４１０の開口４５０ａ、開口４５０ｂ、開口４５０ｃ及び開口４５０ｄを一方向（図１０及び図１１のＺ方向）に沿ってそれぞれ通過している。
【００７０】
軸部材３５０ａ、軸部材３５０ｂ、軸部材３５０ｃ及び軸部材３５０ｄには、基板４１０の第２面４１４側から第１面４１２側に向けて、固定具５５０ａ、固定具５５０ｂ、固定具５５０ｃ及び固定具５５０ｄがそれぞれ取り付けられている。したがって、第２コネクタ４００（基板４１０）は、基板４１０の第２面４１４側から第１面４１２側に向けてベース３１０（第１ベース３１２）に固定されている。
【００７１】
本実施形態において、各固定具５５０はねじである。他の例において、固定具５５０は、ねじ以外の部材であってもよい。
【００７２】
図１０及び図１１に示す例において、開口４５０ａの幅、開口４５０ｂの幅、開口４５０ｃの幅及び開口４５０ｄの幅は、軸部材３５０ａの幅、軸部材３５０ｂの幅、軸部材３５０ｃの幅及び軸部材３５０ｄの幅よりそれぞれ広くなっている。したがって、基板４１０は、各軸部材３５０の軸方向（Ｚ方向）に沿ってベース３１０に対して可動となっており、かつ軸部材３５０の軸方向に交わる方向（Ｙ方向）に沿ってベース３１０に対して可能となっている。
【００７３】
図１０及び図１１に示す例では、軸部材３５０ａ及び軸部材３５０ｃの組と軸部材３５０ｂ及び軸部材３５０ｄの組は、端子台４２０を挟んで互いに反対側に位置している。したがって、第２コネクタ４００をベース３１０（第１ベース３１２）に安定して取り付けることができる。
【００７４】
図１２を用いて、軸部材３５０の詳細を説明する。
【００７５】
ベース３１０はストッパ３５２を有しており、固定具５５０はストッパ５５２を有している。ベース３１０のストッパ３５２と固定具５５０のストッパ５５２は、互いに対向している。軸部材３５０は、ベース３１０のストッパ３５２と固定具５５０のストッパ５５２の間にある。基板４１０は、第１面４１２の一部がベース３１０のストッパ３５２に対向し、かつ第２面４１４の一部が固定具５５０のストッパ５５２に対向するように軸部材３５０に取り付けられている。図１２に示す例では、ベース３１０のストッパ３５２と固定具５５０のストッパ５５２によって基板４１０のＺ方向における可動範囲を制限することができる。
【００７６】
以上、図面を参照して本発明の実施形態について述べたが、これらは本発明の例示であり、上記以外の様々な構成を採用することもできる。
【００７７】
この出願は、２０１７年１２月２８日に出願された日本出願特願２０１７−２５３１１５号を基礎とする優先権を主張し、その開示の全てをここに取り込む。
【図１】
2019130880.tif 000003
【図２】
2019130880.tif 000004
【図３】
2019130880.tif 000005
【図４】
2019130880.tif 000006
【図５】
2019130880.tif 000007
【図６】
2019130880.tif 000008
【図７】
2019130880.tif 000009
【図８】
2019130880.tif 000010
【図９】
2019130880.tif 000011
【図１０】
2019130880.tif 000012
【図１１】
2019130880.tif 000013
【図１２】
2019130880.tif 000014
【国際調査報告】
2019130880.tif 000015
2019130880.tif 000016
2019130880.tif 000017
2019130880.tif 000018